(57)【要約】【課題】  ヘッドレストを背凭れの上側に起立させても被覆材に皺が生じないヘッドレスト付き着座具を提供する。【解決手段】  本発明のヘッドレスト付き着座具は、背凭れの上方側にヘッドレストが設けられた着座具である。背凭れとヘッドレストは別体としてある。ヘッドレストは背凭れに回動可能に連結してあり、背凭れとの連結部分を回転軸として前方側に回転させることで前記背凭れの前面側に倒伏させることができ、連結部分を回転軸として後方側に回転させることで前記背凭れの上方側に起立させることができるように構成されている。【選択図】図１
2019170694.tif 000002
【特許請求の範囲】
【請求項１】
背凭れの上方側にヘッドレストが設けられたヘッドレスト付き着座具において、
前記背凭れとヘッドレストが別体であり、
前記ヘッドレストは背凭れに回動可能に連結され、
前記ヘッドレストは前記背凭れとの連結部分を回転軸として前方側に回転させることで前記背凭れの前面側に倒伏可能であり、前記連結部分を回転軸として後方側に回転させることで前記背凭れの上方側に起立可能である、
ことを特徴とするヘッドレスト付き着座具。
【請求項２】
請求項１記載のヘッドレスト付き着座具において、
ヘッドレストが背凭れを被覆する第一被覆材とは異なる第二被覆材で被覆され、
前記ヘッドレストは前記第一被覆材と第二被覆材が接合されることによって前記背凭れに回動可能に連結され、
前記ヘッドレストは、前記第一被覆材と第二被覆材の接合部分を支点として背凭れの前面側に倒伏可能であり、前記接合部分を支点として背凭れの上方側に起立可能である、
ことを特徴とするヘッドレスト付き着座具。
【請求項３】
請求項１又は請求項２記載のヘッドレスト付き着座具において、
ヘッドレストは起立状態において前面側を向く面の一部が背凭れの上端側に連結された、
ことを特徴とするヘッドレスト付き着座具。
【請求項４】
請求項１から請求項３のいずれか１項に記載のヘッドレスト付き着座具において、
ヘッドレストは、起立したときに背凭れとの連結部分よりも下側の部分が当該背凭れの背面側に当接することによって起立状態が保持される、
ことを特徴とするヘッドレスト付き着座具。
【発明の詳細な説明】
【技術分野】
【０００１】
本発明は、ソファや座椅子といった各種着座具に関し、より詳しくは、背凭れの上側に設けられたヘッドレストを起立させることでハイバックソファとして利用することができ、ヘッドレストを背凭れの前面側に倒伏させることでローバックソファとして利用することができる着座具（以下「ヘッドレスト付き着座具」という）に関する。
【背景技術】
【０００２】
家庭等で使用される着座具の一種として、背凭れ部の上側にヘッドレスト部が設けられたソファ（以下「ヘッドレスト付きソファ」という）が知られている（例えば、特許文献１）。特許文献１のヘッドレスト付きソファのヘッドレスト部は、背凭れ部の上方側に起立させることで背凭れの一部として利用することができ、背凭れ部の前面側に倒伏させることで背凭れのクッション材として利用することができるように構成されている。
【先行技術文献】
【特許文献】
【０００３】
【特許文献１】特開２００８−１１９２４０号公報
【発明の概要】
【発明が解決しようとする課題】
【０００４】
前記特許文献１記載のヘッドレスト付きソファは、背凭れ部とヘッドレスト部が一つの被覆材で覆われており、ヘッドレスト部を背凭れ部の上方側に起立させると、被覆材の屈曲部分の背面側に皺が発生して外観を損ねることがあった。
【０００５】
本発明の解決課題は、ヘッドレストを背凭れの上側に起立させても被覆材に皺が生じないヘッドレスト付き着座具を提供することにある。
【課題を解決するための手段】
【０００６】
本発明のヘッドレスト付き着座具は、背凭れの上方側にヘッドレストが設けられた着座具である。背凭れとヘッドレストは別体としてある。ヘッドレストは背凭れに回動可能に連結してあり、背凭れとの連結部分を回転軸として前方側に回転させることで背凭れの前面側に倒伏させることができ、連結部分を回転軸として後方側に回転させることで背凭れの上方側に起立させることができるように構成されている。
【発明の効果】
【０００７】
本発明のヘッドレスト付き着座具は、背凭れとヘッドレストは別体としてあるため、ヘッドレストを背凭れの上方側に起立させても、被覆材に皺が発生することがなく、外観を損ねることがない。
【図面の簡単な説明】
【０００８】
【図１】（ａ）本発明のヘッドレスト付き着座具（ヘッドレスト付きソファ）の一例を示す斜視図、（ｂ）は（ａ）の背面側斜視図。
【図２】図１（ａ）（ｂ）に示すヘッドレスト付きソファのヘッドレストの説明図。
【図３】図１（ａ）（ｂ）に示すヘッドレスト付きソファの内部構造の説明図。
【図４】図１（ａ）（ｂ）に示すヘッドレスト付きソファのヘッドレストを起立させた状態の断面図。
【図５】（ａ）は図４のヘッドレスト部分の拡大図、（ｂ）は（ａ）の正面側から見た場合の説明図。
【図６】図１（ａ）（ｂ）に示すヘッドレスト付きソファのヘッドレストを倒伏させた状態の断面図。
【図７】（ａ）は図６のヘッドレスト部分の拡大図、（ｂ）は（ａ）の正面側から見た場合の説明図。
【発明を実施するための形態】
【０００９】
（実施形態）
本発明のヘッドレスト付き着座具の実施形態の一例を、図面を参照して説明する。ここでは、着座具が二つの着座部を備えた二人掛けのソファの場合を一例として説明する。なお、以下の説明で使用される方向を示す用語（前後、左右、上下等）は、ソファに座った使用者を基準とする。
【００１０】
図１（ａ）（ｂ）は本発明の着座具の一例を示す斜視図である。図１（ａ）（ｂ）において、１は座、２は背凭れ、３はヘッドレスト、４は袖、５は脚である。座１は使用者が座る部分、背凭れ２は使用者の背中付近を支える部分、ヘッドレスト３は使用者の頭部付近を支える部分、袖４は使用者が肘を掛ける（腕を載せる）部分、脚５はソファ全体を支持する部分である。背凭れ２は座１に座った使用者の背面側に立設されている。ヘッドレスト３は背凭れ２と別体であり、背凭れ２の上端側に回転可能に連結されている。図１（ａ）（ｂ）及び図２に示すように、ヘッドレスト３は背凭れ２の前面側に倒伏させた状態（本願において「倒伏状態」という）と背凭れ２の上方側に起立させた状態（本願において「起立状態」という）に切り替えられるように構成されている。
【００１１】
図３及び図４は、図１（ａ）（ｂ）に示すソファの内部構造の説明図である。図３及び図４において、６はベースフレーム、７はヘッドフレームである。ベースフレーム６は座１及び背凭れ２の一部を構成する部分、ヘッドフレーム７はヘッドレスト３の一部を構成する部分である。
【００１２】
一例として図３に示すベースフレーム６は、対向配置された二枚のＬ字状の側板６１と、両側板６１の中間に設けられたＬ字状の中板６２と、両側板６１の前端側に架設された前板６３と、両側板６１の後端側（背凭れ側）に架設された背板６４を備えている。両側板６１間には、複数枚の補強板６５が架設されている。両側板６１の内側及び中板６２の両外側には、これら部材を補強する柱材６６が設けられている。側板６１、中板６２、前板６３、背板６４、補強板６５及び柱材６６は、例えば木材等で構成することができる。この実施形態のベースフレーム６は、座１の一部を構成する部分（座フレーム）と背凭れ２の一部を構成する部分（背凭れフレーム）が一体に構成されたものであるが、ベースフレーム６は、別体の座フレームと背凭れフレームが連結具などで連結されたものであってもよい。
【００１３】
前記ヘッドフレーム７はソファの横幅方向に間隔をあけて配置された二本の縦材７１と、両縦材７１の上端側に架設された横材７２を備えた下向きＵ字状の部材である。縦材７１及び横材７２は、例えば鋼材等で構成することができる。二本の縦材７１には四本の伸縮リング７３が上下方向に間隔をあけて設けられている。伸縮リング７３は背凭れ２に寄りかかった際の弾性（クッション性）を確保するためのものである。伸縮リング７３は、例えば既存のゴムベルトなどを用いることができる。伸縮リング７３は四本より多くても少なくてもよい。この実施形態では、伸縮リング７３が取り付けられたヘッドフレーム７が、二つの着座部の夫々に一つずつ設けてある。
【００１４】
二本の縦材７１の下端には、ヘッドフレーム７をベースフレーム６に連結するための連結治具８が溶接により固定されている。一例として図３に示す連結治具８は、ヘッド側固定部８１と、背凭れ側固定部８２と、蝶番部８３を備えている。ヘッド側固定部８１は縦材７１の下端に固定される部分、背凭れ側固定部８２はベースフレーム６の柱材６６に固定される部分、蝶番部８３はヘッド側固定部８１と背凭れ側固定部８２を連結する部分である。
【００１５】
前記ヘッド側固定部８１は、図５（ａ）及び図７（ａ）に示すように、固定片８１ａと支持部８１ｂを備えている。固定片８１ａは縦材７１に固定する部分、支持部８１ｂは縦材７１を支持する部分である。一例として図５（ａ）及び図７（ａ）に示す支持部８１ｂは、起立状態の縦材７１の下端側に、当該縦材７１に対して３０度程度の角度をもって立設された傾斜部８１ｃと、傾斜部８１ｃの先端側から縦材７１に対して直交する向きに設けられた水平部８１ｄを備えている。図３に示すように、この実施形態では、ヘッド側固定部８１にＬ字状のフック材８１ｅを設けてあり、隣り合うフック材８１ｅ間に伸縮リング７３を掛けられるようにしてある。
【００１６】
前記背凭れ側固定部８２は、宛がい面８２ａと二枚の立設面８２ｂとストッパー８２ｃを備えている。宛がい面８２ａは柱材６６に固定される部分、立設面８２ｂは宛がい面８２ａの幅方向両外側を折り曲げて立ち上げられた部分、ストッパー８２ｃは側面視Ｌ字状の部材であり、ヘッド側固定部８１の傾斜部８１ｃに当接して縦材７１を起立状態に支持する部分である。宛がい面８２ａは柱材６６に宛がわれた状態で、止めネジ９によって当該柱材６６の一面に固定されている。
【００１７】
前記蝶番部８３は、ヘッド側蝶番片８３ａと、背凭れ側蝶番片８３ｂと、蝶番軸８３ｃを備えている。ヘッド側蝶番片８３ａはヘッド側固定部８１の水平部８１ｄに固定される部分、背凭れ側蝶番片８３ｂは背凭れ側固定部８２の立設面８２ｂに固定される部分、蝶番軸８３ｃはヘッド側蝶番片８３ａと背凭れ側蝶番片８３ｂとを回転可能に連結する部材である。
【００１８】
図４に示すように、ベースフレーム６の外側にはクッション材（ベース側クッション材）６７が配置され、その外側が被覆材（ベース側被覆材、第一被覆材）６８で覆われている。ベース側クッション材６７には既存のウレタンなどを、ベース側被覆材６８には本革や合成皮革、布材などを用いることができる。ベース側被覆材６８には、座１だけを被覆するものや背凭れ２だけを被覆するものも含まれる。この実施形態では、ベース側クッション材６７及びベース側被覆材６８が設けられた背凭れ２が、図２、図４及び図６に示すように、上端部が先細りとなるように構成されている。
【００１９】
具体的には、背凭れ２の背面側を、下方から上方に向けて後方に膨らんだのち前方に向かう湾曲形状とし、前面側を、下方から上方に向けて前方に膨らんだのち後方に向かう湾曲形状としてある。ベース側被覆材６８の背凭れ２の上端部には図示しない開口（ベース側開口）が設けられ、連結治具８が収まるようにしてある。ベース側開口の周縁は後述するヘッド側被覆材の開口（ヘッド側開口）の周縁と縫合されている。
【００２０】
前記ヘッドフレーム７の外側にはクッション材（ヘッド側クッション材）７４が配置され、その外側が被覆材（ヘッド側被覆材、第二被覆材）７５で被覆されている。ヘッド側クッション材７４には既存のウレタンなどを、ヘッド側被覆材７５には本革や合成皮革、布材などを用いることができる。この実施形態では、ヘッド側クッション材７４及びヘッド側被覆材７５が設けられたヘッドレスト３が、図２、図４及び図６に示すように、上端と下端が先細りの楕円形状となるように構成されている。
【００２１】
具体的には、背凭れ２の背面側を、下方から上方に向けて後方に膨らんだのち前方に向かう湾曲形状とし、前面側を、下方から上方に向けて前方に膨らんだのち後方に向かう湾曲形状としてある。ヘッド側被覆材７５の前面側の下方には図示しないヘッド側開口が設けられ、後述する連結治具８が収まるようにしてある。ヘッド側開口の周縁は前記ベース側開口の周縁と縫合されている。
【００２２】
この実施形態では、背凭れ２及びヘッドレスト３を前記形状とすることで、背凭れ２の背面上方寄りの位置に、起立状態にあるヘッドレスト３の下方部（縫合部分よりも下側の部分。以下同じ。）が収まる空間（収まり空間）Ｓが形成されるようにしてある。
【００２３】
この実施形態では、背凭れ２とヘッドレスト３を一連の被覆材で被覆するのではなく、別々の被覆材で被覆したうえで接合（縫合）してあるため、ヘッドレスト３を起立させた際に背凭れ２とヘッドレスト３の背面側に皺が寄ることがない。また、このような構成とすることで、ヘッドレスト３を起立させたときに、背凭れ２とヘッドレスト３の縫合部分が、起立したヘッドレスト３の下方部で隠れて外部に露出することがない。
【００２４】
前記袖４には既存の又は新規のものを用いることができる。一例として図１に示す袖４は、フレーム（図示しない）の外側にクッション材（図示しない）や被覆材４１が設けられたものである。ベースフレーム６及びヘッドフレーム７の外側に設けるクッション材や被覆材と同様、クッション材には既存のウレタンなどを、被覆材には本革や合成皮革、布材などを用いることができる。袖４は必須の構成ではなく、不要な場合には省略することもできる。
【００２５】
前記脚５には既存の又は新規のものを用いることができる。図１に示す脚５は、図３に示すように、円柱状の脚本体５１の上方にネジ軸５２が突設されたものである。脚５はネジ軸５２をベースフレーム６にねじ込むことによって、ベースフレーム６に固定されている。この実施形態では、四本の脚５を用いる場合を一例としているが、脚５は四本より多くても少なくてもよい。また、この実施形態では、袖４と脚５とが別体の場合を一例としているが、袖４を脚５の機能を備えたものとすることで、脚５を省略することもできる。
【００２６】
前記実施形態では、着座具が二人掛けソファの場合を一例としているが、本発明のヘッドレスト付き着座具は、一人掛けソファや三人掛け以上のソファであってもよい。また、本発明の着座具は、ソファに限らず背凭れとヘッドレストの双方を備えた他の着座具であってもよい。
【００２７】
（動作）
本実施形態におけるソファの動作について、図面を参照して説明する。倒伏状態にあるヘッドレスト３（図６及び図７（ａ）（ｂ）に示すような）を図４及び図５（ａ）（ｂ）に示すように起立させると、ヘッドレスト３の下方部が背凭れ２によって支持され、起立状態が保持される。具体的には、ヘッドレスト３におけるヘッド側固定部８１の傾斜部８１ｃが背凭れ２における背凭れ側固定部８２のストッパー８２ｃによって支持され、起立状態が保持される。他方、起立状態にあるヘッドレスト３（図４及び図５（ａ）（ｂ））を倒伏（図６及び図７（ａ）（ｂ））させると、ヘッドレスト３の背凭れ２による支持が解除され、背凭れ２の前面側に倒伏する。具体的には、ヘッドレスト３の傾斜部８１ｃが背凭れ２のストッパー８２ｃから離れて、ヘッドレスト３が、その前面側が背凭れ２の前面側に当接する位置まで倒伏する。
【符号の説明】
【００２８】
１      座
２      背凭れ
３      ヘッドレスト
４      袖
４１    被覆材（袖部被覆材）
５      脚
５１    脚本体
５２    ネジ軸
６      ベースフレーム
６１    側板
６２    中板
６３    前板
６４    背板
６５    補強板
６６    柱材
６７    クッション材（ベース側クッション材）
６８    被覆材（ベース側被覆材、第一被覆材）
７      ヘッドフレーム
７１    縦材
７２    横材
７３    伸縮リング
７４    クッション材（ヘッド側クッション材）
７５    被覆材（ヘッド側被覆材、第二被覆材）
８      連結治具
８１    ヘッド側固定部
８１ａ  固定片
８１ｂ  支持部
８１ｃ  傾斜部
８１ｄ  水平部
８１ｅ  フック材
８２    背凭れ側固定部
８２ａ  宛がい面
８２ｂ  立設面
８２ｃ  ストッパー
８３    蝶番部
８３ａ  ヘッド側蝶番片
８３ｂ  背凭れ側蝶番片
８３ｃ  蝶番軸
９      止めネジ
Ｓ      収まり空間
【図１】
2019170694.tif 000003
【図２】
2019170694.tif 000004
【図３】
2019170694.tif 000005
【図４】
2019170694.tif 000006
【図５】
2019170694.tif 000007
【図６】
2019170694.tif 000008
【図７】
2019170694.tif 000009